(57)【要約】【課題】交流電源の投入・遮断に対して、スイッチング電源を適正に動作させる。【解決手段】交流を直流に変換して出力する電源システムＳであって、交流電源より印加される交流電圧を整流平滑化する第一整流平滑化回路２１と、前記第一整流平滑化回路２１の出力電圧を電圧変換して出力するスイッチング電源２０と、前記スイッチング電源２０から充電電流の供給を受ける蓄電部Ｃ４と、前記交流電源の投入・遮断を検出する検出部６０と、前記スイッチング電源２０の停止中、前記蓄電部Ｃ４より電力の供給を受ける共に、前記検出部６０にて前記交流電源の遮断が検出された場合に、前記スイッチング電源２０を停止させる停止処理を実行する制御装置８０とを備える。【選択図】図２
2013135588.tif 000002
【特許請求の範囲】
【請求項１】
交流を直流に変換して出力する電源システムであって、
交流電源より印加される交流電圧を整流平滑化する第一整流平滑化回路と、
前記第一整流平滑化回路の出力電圧を電圧変換して出力するスイッチング電源と、
前記スイッチング電源から充電電流の供給を受ける蓄電部と、
前記交流電源の投入・遮断を検出する検出部と、
前記検出部にて前記交流電源の遮断が検出された場合に、前記蓄電部より電力の供給を受けて前記スイッチング電源を停止させる停止処理を実行する制御装置と、を備える電源システム。
【請求項２】
前記検出部は、ゼロクロス検出回路である請求項１に記載の電源システム。
【請求項３】
前記スイッチング電源は、
トランスと、
前記トランスの一次コイルに接続された半導体スイッチング素子と、
前記半導体スイッチング素子を制御するスイッチ制御部と、
前記トランスの二次側に設けられる第二整流平滑化回路と、を含み、
前記制御装置は、前記スイッチ制御部に対して制御信号を出力して前記半導体スイッチング素子をオフすることにより、前記スイッチング電源を停止させる請求項１又は請求項２に記載の電源システム。
【請求項４】
前記制御装置は、前記検出部にて前記交流電源の遮断が検出された場合に、前記スイッチング電源を、前記蓄電部に蓄積された電荷を消費するモードに移行させるモード移行処理を行う請求項１ないし請求項３のいずれか一項に記載の電源システム。
【請求項５】
交流を直流に変換して出力する電源システムであって、
交流電源より印加される交流電圧を整流平滑化する第一整流平滑化回路と、
前記交流電源の投入に伴って起動して、前記第一整流平滑化回路の出力電圧を電圧変換して出力するスイッチング電源と、
前記交流電源の投入・遮断を検出する検出部と、
前記スイッチング電源から充電電流の供給を受ける蓄電部と、
前記スイッチング電源の停止中、前記蓄電部より電力の供給を受ける制御装置と、を備え、
前記制御装置は、前記検出部にて前記交流電源の投入が検出された場合、検出時から一定期間は、前記スイッチング電源の起動状態を切り換える制御信号を前記スイッチング電源に対して出力することを禁止する電源システム。
【請求項６】
前記一定期間は、前記交流電源の投入から前記スイッチング電源の起動を前記制御装置が認識するまでの認識時間より少なくとも長い時間である請求項５に記載の電源システム。
【請求項７】
前記制御装置は、前記検出部にて前記交流電源の遮断が検出されている期間は、前記スイッチング電源の起動状態を切り換える制御信号を前記スイッチング電源に対して出力することを禁止する請求項５又は請求項６に記載の電源システム。
【請求項８】
請求項１ないし請求項７のいずれか一項に記載の電源システムと、
前記電源システムから電力の供給を受けて印刷処理を実行する印刷部とを備えた画像形成装置。
【請求項９】
請求項４に記載の電源システムと、
前記電源システムのスイッチング電源から第一出力電圧にて電力供給され、印刷処理を実行する高電圧系部品と、
前記スイッチング電源の出力段に設けられた降圧回路から前記第一出力電圧より低い第二出力電圧にて電力供給され、前記高電圧系部品を制御する低電圧系部品と、を備えた画像形成装置であって、
前記蓄電部に蓄積された電荷を消費するモードは、少なくとも前記高電圧系部品に対して電力供給するモードである画像形成装置。
【発明の詳細な説明】
【技術分野】
【０００１】
本発明は、電源システム及びそれを備えた画像形成装置に関する。
【背景技術】
【０００２】
下記特許文献１には、スイッチング電源と、スイッチング電源を制御する主電源制御部とを備えた電源システムが開示されている。
【先行技術文献】
【特許文献】
【０００３】
【特許文献１】特開平７−８７７３４号公報
【発明の概要】
【発明が解決しようとする課題】
【０００４】
上記スイッチング電源は交流電源の投入・遮断に対して追従性が十分とは言えず、また誤動作を起こす恐れがあった。例えば、交流電源の遮断時に、一次側の平滑化コンデンサの放電に時間がかかるため、スイッチング電源がオフするまでに時間がかかり、追従性が悪くなる場合がある。また、交流電源の投入タイミングと、主電源制御部がスイッチング電源を起動させるタイミングが重なると、交流電源の投入に伴って起動したスイッチング電源が、誤動作を起こして停止する恐れがあった。
【０００５】
本発明は上記のような事情に基づいて完成されたものであって、交流電源の投入・遮断に対して、スイッチング電源を適正に動作させることを目的とする。
【課題を解決するための手段】
【０００６】
本明細書によって開示される第一の電源システムは、交流を直流に変換して出力する電源システムであって、交流電源より印加される交流電圧を整流平滑化する第一整流平滑化回路と、前記第一整流平滑化回路の出力電圧を電圧変換して出力するスイッチング電源と、前記スイッチング電源から充電電流の供給を受ける蓄電部と、前記交流電源の投入・遮断を検出する検出部と、前記検出部にて前記交流電源の遮断が検出された場合に、前記蓄電部より電力の供給を受けて前記スイッチング電源を停止させる停止処理を実行する制御装置と、を備える。この電源システムでは、交流電源オフ後、スイッチング電源を直ぐに停止させることが可能であり、追従性がよい。
【０００７】
上記第一の電源システムでは、以下とすることが好ましい。
・前記検出部は、ゼロクロス検出回路である。
・前記スイッチング電源は、トランスと、前記トランスの一次コイルに接続された半導体スイッチング素子と、前記半導体スイッチング素子を制御するスイッチ制御部と、前記トランスの二次側に設けられる第二整流平滑化回路と、を含み、前記制御装置は、前記スイッチ制御部に対して制御信号を出力して前記半導体スイッチング素子をオフすることにより、前記スイッチング電源を停止させる。
【０００８】
・前記制御装置は、前記検出部にて前記交流電源の遮断が検出された場合に、前記スイッチング電源を、前記蓄電部に蓄積された電荷を消費するモードに移行させるモード移行処理を行う。
【０００９】
本明細書によって開示される第二の電源システムは、交流を直流に変換して出力する電源システムであって、交流電源より印加される交流電圧を整流平滑化する第一整流平滑化回路と、前記交流電源の投入に伴って起動して、前記第一整流平滑化回路の出力電圧を電圧変換して出力するスイッチング電源と、前記交流電源の投入・遮断を検出する検出部と、前記スイッチング電源から充電電流の供給を受ける蓄電部と、前記スイッチング電源の停止中、前記蓄電部より電力の供給を受ける制御装置と、を備え、前記制御装置は、前記検出部にて前記交流電源の投入が検出された場合、検出時から一定期間は、前記スイッチング電源の起動状態を切り換える制御信号を前記スイッチング電源に対して出力することを禁止する。
【００１０】
この電源システムでは、交流電源の投入が検出されてから一定期間は、制御装置側からスイッチング電源側に前記スイッチング電源の起動状態を切り換える制御信号を出力することを禁止する。そのため、制御装置が、交流電源の投入に伴って起動したスイッチング電源を停止させるといった誤動作を防止することが出来る。
【００１１】
上記第二の電源システムでは、以下とすることが好ましい。
・前記一定期間は、前記交流電源の投入から前記スイッチング電源の起動を前記制御装置が認識するまでの認識時間より少なくとも長い時間である
【００１２】
・前記制御装置は、前記検出部にて前記交流電源の遮断が検出されている期間は、前記スイッチング電源の起動状態を切り換える制御信号を前記スイッチング電源に対して出力することを禁止する。
【００１３】
これら第一の電源システム、第二の電源システムは、画像を形成する画像形成装置に使用することが可能である。
【発明の効果】
【００１４】
本発明によれば、交流電源の投入・遮断に対して、スイッチング電源を適正に動作させることが可能となる。
【図面の簡単な説明】
【００１５】
【図１】一実施形態において、プリンタの構成を示すブロック図
【図２】電源システムの電気的構成を示す回路図
【図３】ゼロクロス検出回路の回路動作を説明する図
【図４】交流電源の出力波形と検出信号との関係を示す図
【図５】各モードについて電源系のオンオフをまとめた図
【図６】出力停止フローの流れを示すフローチャート図
【図７】交流電源遮断時における各電源系の電圧の推移を示す図（比較例を示す）
【図８】交流電源遮断時における各電源系の電圧の推移を示す図（実施形態例を示す）
【図９】交流投入時における各電源系の電圧の推移を示す図（比較例を示す）
【図１０】交流投入時における各電源系の電圧の推移を示す図（実施形態例を示す）
【図１１】ゼロクロス検出回路の変形例を示す図
【発明を実施するための形態】
【００１６】
＜一実施形態＞
一実施形態を図１ないし図１０によって説明する。
１．プリンタの説明
図１はプリンタ（本発明の「画像形成装置」の一例）１の電気的構成を示すブロック図である。プリンタ１は、印刷部２と、印刷部２を制御するエンジン制御部４と、通信部３ａと、画像メモリ３ｂと、電源装置１０、と制御装置８０とから構成されている。電源装置１０はプリンタ１の電源となるものであり、印刷部２、エンジン制御部４、通信部３ａ、画像メモリ３ｂ及び制御装置８０に対して電力を供給する。
【００１７】
印刷部２は、感光ドラム２ａ、感光ドラム２ａの表面を帯電させる帯電プロセスを実行する帯電器２ｂ、感光ドラム２ａの表面に静電潜像を形成する露光プロセスを実行する露光装置２ｃ、感光ドラム２ａの表面に形成された静電潜像に現像剤を付着させて現像剤像を形成する現像プロセスを実行する現像器２ｄ、記録媒体に現像剤像を転写する転写プロセスを実行する転写器２ｅ、記録媒体上に転写された現像剤像を定着させる定着プロセスを実行する定着器２ｆ等から構成されている。
【００１８】
印刷部２は帯電プロセス、露光プロセス、現像プロセス、転写プロセス、定着プロセスを実行して、記録媒体上に印刷データを印刷する印刷処理を実行するものである。通信部３ａはＰＣ等の情報端末装置との間で通信を行うものであり、情報端末装置から印刷指示や印刷データを受信する機能を担う。画像メモリ３ｂは、情報端末装置から受信した印刷データを一時記憶するものである。
【００１９】
上記プリンタ１は、通信部３ａが情報端末装置から印刷指示を受けて印刷データを受信すると、制御装置８０が、エンジン制御部４を介して印刷部２に帯電プロセス、露光プロセス、現像プロセス、転写プロセス、定着プロセスからなる印刷処理を実行させることで、記録媒体に印刷データを印刷させる。尚、印刷部２の動作電圧は２４Ｖ（本発明の「第一出力電圧」の一例）であるのに対して、通信部３ａ、画像メモリ３ｂ、エンジン制御部４及び制御装置８０の動作電圧は３．３Ｖ（本発明の「第二出力電圧」の一例）である。また、印刷部２が本発明の「高電圧系部品」の一例であり、エンジン制御部４及び制御装置８０が本発明の「第一低電圧系部品」の一例である。
【００２０】
２．電源システムの回路説明
次に図２を参照して、プリンタ１の電源システムＳを説明する。電源システムＳは、電源装置１０と、ゼロクロス検出回路６０と、制御装置８０とを備える。以下、まず電源装置１０の構成について説明を行う。
【００２１】
電源装置１０は整流平滑化回路２１と、スイッチング電源２０を備える。整流平滑化回路２１は、いわゆるコンデンサインプット型であり、交流電源１５の交流電圧（２２０Ｖ）を整流するブリッジダイオードＤ１と、整流後の電圧を平滑化するコンデンサＣ１とから構成されている。
【００２２】
スイッチング電源２０は、整流平滑化回路２１の出力電圧を電圧変換して出力するものであり、トランス２３と、ＦＥＴ（電界効果トランジスタ）２５と、整流平滑化回路２７と、電圧検出回路２９と、ＦＥＴ２５をスイッチング制御する制御ＩＣ５０と、ＤＣ−ＤＣコンバータ３５と、ＤＣ−ＤＣコンバータ３７と、ＤＣ−ＤＣコンバータ４５とを備える。尚、整流平滑化回路２１が、本発明の「第一整流平滑化回路」の一例であり、ＦＥＴ２５が本発明の「半導体スイッチング素子」の一例であり、制御ＩＣ５０が本発明の「スイッチ制御部」の一例である。また、整流平滑化回路２７が本発明の「第二整流平滑化回路」の一例である。
【００２３】
トランス２３は、整流平滑化回路２１の出力側に設けられていて、交流電圧を整流平滑化した入力電圧Ｖｉｎ（約ＤＣ３２２Ｖ）が、入力ラインＬｉｎを通じて、トランス２３の一次コイルＮ１に印加される構成となっている。
【００２４】
ＦＥＴ２５はＮチャンネルのＭＯＳＦＥＴであり、ドレインＤを一次コイルＮ１に接続すると共に、ソースＳを接地している。そして、ＦＥＴ２５は、制御ＩＣ５０からゲートＧにオンオフ信号（ＰＷＭ信号）が与えられることにより、オンオフ動作する。これにより、トランス２３の一次側が発振して、トランス２３の二次コイルＮ２に電圧を誘起させる構成となっている。
【００２５】
また、トランス２３の一次側には電圧発生回路３１が設けられている。電圧発生回路３１は、トランス２３の一次側に設けられた補助コイルＮ３に誘起される電圧を、ダイオードＤ２とコンデンサＣ２により整流平滑化するものである。この電圧発生回路３１は制御ＩＣ５０の電源（概ねＤＣ２０Ｖ）となる。
【００２６】
整流平滑化回路２７は、トランス２３の二次側に設けられていて、ダイオードＤ３とコンデンサＣ３とからなる。整流平滑化回路２７はトランス２３の二次コイルＮ２に誘起された電圧を整流平滑化する。これにより、スイッチング電源２０は、出力ラインＬｏ１を通じてＤＣ２４Ｖの電圧を出力する。出力ラインＬｏ１には、負荷スイッチとして機能するＰＮＰトランジスタ３３が設けられている。ＰＮＰトランジスタ３３のべースには、制御信号Ｓ１が入力される構成となっており、ＰＮＰトランジスタ３３をオンオフ切り換えることで出力ラインＬｏ１を開閉出来る構成となっている。
【００２７】
また、出力ラインＬｏ１は、図２に示すように、ＰＮＰトランジスタ３３の上流側に設けられた分岐点Ｊにて３分岐していて、分岐した各ラインにはそれぞれＤＣ−ＤＣコンバータ３５、４５が設けられている。ＤＣ−ＤＣコンバータ３５は、スイッチング電源２０の出力電圧を５Ｖに降圧して出力ラインＬｏ２より出力する。また、出力ラインＬｏ２は２分岐しており、分岐したライン上には、ＤＣ−ＤＣコンバータ３７が設けられている。ＤＣ−ＤＣコンバータ３７は、ＤＣ−ＤＣコンバータ３５の出力電圧を３．３Ｖに降圧して出力ラインＬｏ３より出力する。また、ＤＣ−ＤＣコンバータ４５は、スイッチング電源２０の出力電圧を３．３Ｖに降圧して出力ラインＬｏ４より出力する。このように、本スイッチング電源２０は、２４Ｖ／５Ｖ／３．３Ｖの３出力となっている。
【００２８】
尚、出力ラインＬｏ１を通じて供給される２４Ｖは、主として印刷部２を構成する電装品の電源となる。また、出力ラインＬｏ２を通じて供給される５Ｖは、主として後述するコンデンサＣ４を充電するための電源となる。また、出力ラインＬｏ３を通じて供給される３．３Ｖは、主として、印刷部２を制御するエンジン制御部４の電源となる。また、出力ラインＬｏ４を通じて供給される３．３Ｖは、主として制御装置８０や通信部３ａ、画像メモリ３ｂの電源となる。
【００２９】
以下、「３．３Ｖ」の各電源系を区別するため、図２に示すように出力ラインＬｏ３を通じて供給される「３．３Ｖ」を「３．３ＶＣ」と表記し、出力ラインＬｏ４を通じて供給される「３．３Ｖ」を「３．３ＶＢ」と表記する。また、本実施形態では、出力ラインＬｏ３、Ｌｏ４以外にも、３．３Ｖ系の出力ラインＬｏ５が設けられているので、出力ラインＬｏ５を通じて供給される「３．３Ｖ」は「３．３ＶＡ」と表記する。
【００３０】
また、整流平滑化回路２７と出力ラインＬｏ１の分岐点Ｊの間には、電圧検出回路２９が設けられている。電圧検出回路２９は、スイッチング電源２０の出力電圧Ｖｏ（ＤＣ２４Ｖ）を検出するものであり、一対の検出抵抗Ｒ１、Ｒ２と、シャントレギュレータＲｅと、シャントレギュレータＲｅと直列接続された発光ダイオードＬＥＤ１と、から構成されている。
【００３１】
検出抵抗Ｒ１、Ｒ２は、出力ラインＬｏ１とグランドラインＬｇ間に設けられていて、出力電圧Ｖｏを抵抗比により分圧した分圧電圧Ｖｇを検出するものである。シャントレギュレータＲｅは、シャントレギュレータＲｅ内の基準電圧と分圧電圧Ｖｇとのレベル差に応じた電流を流す。これにより、発光ダイオードＬＥＤ１に電流が流れ、発光ダイオードＬＥＤ１は基準電圧と分圧電圧Ｖｇとのレベル差に応じた光量の光信号を出力する。
【００３２】
そして、発光ダイオードＬＥＤ１は、制御ＩＣ５０のフィードバックポートＦＢに接続されたフォトトランジスタＰＴ１と共に、フォトカプラを構成している。そのため、発光ダイオードＬＥＤ１の光信号はフォトトランジスタＰＴ１にて電気信号に戻される。これにて、シャントレギュレータＲｅの基準電圧に対する分圧電圧Ｖｇのレベル差を示す信号（以下、フィードバック信号）が、制御ＩＣ５０のフィードバックポートＦＢに入力（フィードバック）される構成となっている。
【００３３】
図２にて示すように、制御ＩＣ５０は、電圧発生回路３１に接続される電源ポートＶＣＣと、ツェナーダイオードＤ４を介して入力ラインＬｉｎに接続される高電圧入力ポートＶＨと、フィードバック信号（出力電圧の検出信号）が入力されるフィードバックポートＦＢと、オンオフ信号（ＰＷＭ信号）を出力する出力ポートＯＵＴと、制御装置８０から出力される制御パルス信号Ｓｒが入力される制御入力ポートＥＮの５つのポートを備えている。
【００３４】
制御ＩＣ５０はＰＷＭコンパレータ（図略）と三角波を発振する発振回路（図略）を備えており、フィードバックポートＦＢにフィードバック信号が入力されると、フィードバック信号に応じたＰＷＭ信号を生成し、出力ポートＯＵＴを通じてＦＥＴ２５のゲートＧに出力する。これにより、スイッチング電源２０の出力電圧Ｖｏが目標電圧になるように制御される。
【００３５】
また、制御ＩＣ５０は、制御装置８０から出力される制御パルス信号Ｓｒに基づいてＦＥＴ２５のスイッチング制御（オンオフ制御）を停止、再開する機能を担う。
【００３６】
制御装置８０は、エンジン制御部４を介してプリンタ１の印刷部２を制御するメインブロックＢ１と、スイッチング電源２０のモードを制御するモード制御ブロックＢ２とから構成されている。
【００３７】
メインブロックＢ１の電源ポートＰ１は、ＤＣ−ＤＣコンバータ４５の出力ラインＬｏ４に接続されており、ＤＣ−ＤＣコンバータ４５から３．３ＶＢの出力電圧が印加される構成となっている。
【００３８】
また、メインブロックＢ１には、２つの制御ポートＰ１０、Ｐ１１が設けられている。制御ポートＰ１０は、出力ラインＬｏ１上に設けられたＰＮＰトランジスタ３３のベースに接続されており、メインブロックＢ１は、制御ポートＰ１０を通じて制御信号Ｓ１を出力することで、ＰＮＰトランジスタ３３をオン状態又はオフ状態のいずれか状態に切り換え制御出来る。
【００３９】
制御ポートＰ１１は、出力ラインＬｏ３上に設けられたＤＣ−ＤＣコンバータ３７に接続されており、メインブロックＢ１は、制御ポートＰ１１を通じて制御信号Ｓ２を出力することで、ＤＣ−ＤＣコンバータ３７を停止状態又は起動状態のいずれかの状態に切り換え制御できる。
【００４０】
一方、モード制御ブロックＢ２には、制御ポートＰ１２が設けられている。制御ポートＰ１２は、出力ラインＬｏ４上に設けられたＤＣ−ＤＣコンバータ４５に接続されており、モード制御ブロックＢ２は、制御ポートＰ１２を通じて制御信号Ｓ３を出力することで、ＤＣ−ＤＣコンバータ４５を停止状態又は起動状態のいずれかの状態に切り換え制御できる。
【００４１】
また、モード制御ブロックＢ２の電源ポートＰ２は、ＤＣ−ＤＣコンバータ３５側に接続されており、ＤＣ−ＤＣコンバータ３５、８３を介してスイッチング電源２０から電力供給される。具体的に説明すると、ＤＣ−ＤＣコンバータ３５の出力ラインＬｏ２には、ダイオードＤ４を介してコンデンサ（蓄電用の電気二重層キャパシタ）Ｃ４が接続されている。ダイオードＤ４はコンデンサＣ４からＤＣ−ＤＣコンバータ３５側への逆流を防止するものである。尚、コンデンサＣ４が、本発明の「蓄電部」の一例である。
【００４２】
そして、コンデンサＣ４とダイオードＤ４の接続点から出力ラインＬｏ５が引き出されている。出力ラインＬｏ５上にはＤＣ−ＤＣコンバータ８３が設けられていて、ＤＣ−ＤＣコンバータ３５の出力電圧を３．３Ｖに降圧して、モード制御ブロックＢ２の電源ポートＰ２に印加させる構成となっている。よって、モード制御ブロックＢ２は、後述する出力モード中、ＤＣ−ＤＣコンバータ３５、８３を介してスイッチング電源２０から電力供給される。
【００４３】
また、コンデンサＣ４は、スイッチング電源２０が出力を停止する出力停止モード中、モード制御ブロックＢ２の電源となるものであり、出力ラインＬｏ２を通じてＤＣ−ＤＣコンバータ３５から充電電流が供給される構成となっている。
【００４４】
次に、モード制御ブロックＢ２には、制御ポートＰ３が設けられている。制御ポートＰ３は、トランジスタ８５のベースＢに接続されている。トランジスタ８５は、エミッタＥをグランドに接続すると共に、コレクタＣを発光ダイオードＬＥＤ２のカソードに接続している。
【００４５】
発光ダイオードＬＥＤ２は、出力ラインＬｏ５にアノードを接続している。そして、この発光ダイオードＬＥＤ２は、制御ＩＣ５０の制御入力ポートＥＮに接続されたフォトトランジスタＰＴ２と共に、フォトカプラを構成している。そのため、モード制御ブロックＢ２の制御ポートＰ３からトランジスタ８５のベースに制御パルス信号Ｓｒを出力すると、制御パルス信号Ｓｒは、フォトカプラを介して光伝送され、制御ＩＣ５０の制御入力ポートＥＮに入力される。
【００４６】
モード制御ブロックＢ２は、制御ＩＣ５０に対して制御パルス信号Ｓｒを出力することにより、スイッチング電源２０を出力モードと出力停止モードとに切り換える機能を果たすものである。尚、詳細には後に説明するが、本実施形態では、出力モード、出力停止モード以外にも、出力停止モードへの移行時にコンデンサＣ１、Ｃ３の残電荷を消費させる消費モードが設けられている。
【００４７】
出力モードとは、トランス２３の一次側を発振させて、スイッチング電源２０を出力状態（起動状態とも言う）にするモードである。また、出力停止モードは、トランス２３の発振を停止させてスイッチング電源２０の出力を停止させるモードである。
【００４８】
尚、制御パルス信号Ｓｒは、出力モードへの移行用と出力停止モードへの移行用で信号波形に区別が無く、出力モードへの移行時と出力停止モードへの移行時で、同じパルス幅の制御パルス信号Ｓｒが出力されるように設定されている。すなわち、このものでは、制御パルス信号Ｓｒの入力に応答して、制御ＩＣ５０がスイッチング電源２０を出力モードと出力停止モードとの間で交互に切り換える（いわゆるトグル方式の切り換え）制御を行う。
【００４９】
スイッチング電源２０のモードを切り換える方法としては、本実施形態のように、パルス信号の入力に応答してモードを交互に切り替える方法の他に、モードに応じたレベルの信号を出力してモードの切り換えを行う方法がある。しかし、レベル信号を用いると、出力モード、出力停止モードのいずれかでハイレベルの信号を出力し続ける必要があり、電力を消費し易くなる。この点、本実施形態のように、パルス信号を用いてモードを交互に切り換える方法であれば、レベル信号を用いる場合に比べて電力の消費を抑えることが可能となる。
【００５０】
また、モード制御ブロックＢ２にはタイマ９０が内蔵されている。タイマ９０は、モード切換時からの経過時間を計時するものである。このように経過時間を計時する理由は、出力停止モード中、モード制御ブロックＢ２は、コンデンサＣ４から電力を供給されて動作するので、出力停止モードが長時間続くと、コンデンサＣ４の充電電圧が低下して、ＤＣ−ＤＣコンバータ８３の出力電圧が３．３Vを維持できなくなってしまう。そのため、タイマ９０で時間を計時して、ＤＣ−ＤＣコンバータ８３の出力電圧が３．３Vを維持できなくなる前にスイッチング電源２０を出力モードに移行させて、コンデンサＣ４を再充電させる必要があるからである。
【００５１】
また、図２に示す検出回路８７は、コンデンサＣ４の充電電圧Ｖｃｈを検出する検出回路である。検出回路８７はコンデンサＣ４の充電電圧Ｖｃｈを検出する検出抵抗Ｒ３、Ｒ４と、検出抵抗Ｒ３、Ｒ４により検出された電圧値を基準値と比較して出力するコンパレータＣＰと、基準電圧用の分圧抵抗Ｒ５、Ｒ６とから構成されている。
【００５２】
コンパレータＣＰは、充電電圧Ｖｃｈが基準電圧を上回っている場合には、Ｈｉｇｈレベルの信号をモード制御ブロックＢ２のポートＰ４に出力し、充電電圧Ｖｃｈが基準電圧を下回っている場合には、Ｌｏｗレベルの信号をポートＰ４に出力する。そして、モード制御ブロックＢ２は、コンパレータＣＰからＬｏｗレベルの信号が出力された場合にも、スイッチング電源２０を出力モードに移行させることにより、コンデンサＣ４を再充電させる構成となっている。
【００５３】
また、モード制御ブロックＢ２には、モード切換ポートＰ５、チェックポートＰ６、検出ポートＰ７、リセットポートＰ８が設けられている。
【００５４】
モード切換ポートＰ５には、モード切り換えスイッチＳＷ２が接続されている。モード切り換えスイッチＳＷ２は、モードの切り換えをユーザが指示するためのスイッチである。
【００５５】
チェックポートＰ６は、抵抗Ｒ７を介して、３．３ＶＢの出力ラインＬｏ４に接続されている。このチェックポートＰ６の電圧を検出することで、スイッチング電源２０が起動しているか、検出できる構成になっている。
【００５６】
検出ポートＰ７には、信号線を介してゼロクロス検出回路６０が接続されており、ゼロクロス検出回路６０から出力される検出信号Ｓｚが入力される構成となっている。モード制御ブロックＢ２は、検出ポートＰ７に対して検出信号Ｓｚの入力があるか検出することにより、交流電源１５の投入／遮断を検出することが出来る構成となっている。
【００５７】
ゼロクロス検出回路６０は、一対のコンデンサＣ５、Ｃ６と、一対のダイオードＤ５、Ｄ６と、ＮＰＮトランジスタ６３とを含む構成となっている。
【００５８】
ダイオードＤ５は、図２に示すように、カソードをコンデンサＣ５を介して交流電源１５の一方側（＋側）に接続し、また、アノードを、コンデンサＣ６を介して交流電源１５の他方側（−側）に接続している。別の言い方をすると、ダイオードＤ５は一対のコンデンサＣ５、Ｃ６を介して交流電源１５に対して並列接続されている。
【００５９】
ダイオードＤ６は、カソードをダイオードＤ５のアノードに接続し、アノードをグラウンドに接続している。ＮＰＮトランジスタ６３は、エミッタをグランドに接続すると共に、コレクタを抵抗Ｒ８を介して３．３ＶＡの電源ラインに接続している。また、ベースは、抵抗Ｒ９を介してダイオードＤ５のカソードに接続されている。
【００６０】
上記のゼロクロス検出回路６０は、交流電源１５の出力電圧Ｖｓが正となる正の半周期では、図３にて実線で示すように、交流電源１５、コンデンサＣ５、抵抗Ｒ９、ＮＰＮトランジスタ６３、ダイオードＤ６、コンデンサＣ６の経路で検出電流Ｉｓが流れる。その一方、交流電源１５の出力電圧Ｖｓが負となる負の半周期では、図３にて一点鎖線で示すようにコンデンサＣ６、ダイオードＤ５、コンデンサＣ５の経路で検出電流Ｉｓが流れる。
【００６１】
そのため、ＮＰＮトランジスタ６３は、図３にて実線で示す経路で検出電流Ｉｓが流れている期間のみオン状態となり、その期間、出力点であるコレクタの電位はローレベルになる。一方、図３にて破線で示す経路で検出電流Ｉｓが流れている期間はオフ状態となり、その期間、出力点であるコレクタの電位はハイレベルになる。
【００６２】
そのため、ゼロクロス検出回路６０から出力される検出信号Ｓｚは、図４に示すように、交流電源１５の正負に応じてハイレベルとローレベルを交互に繰り返すパルス状の信号となる。
【００６３】
ゼロクロス検出回路６０の出力する検出信号Ｓｚの位相は、交流電源１５の出力電圧Ｖｓの位相に対して概ね９０度進む波形になる。これは、検出電流ＩｓがコンデンサＣ５、Ｃ６が通る関係から、交流電源１５の出力電圧Ｖｓに対して検出電流Ｉｓの位相が９０度進むからである。尚、検出信号Ｓｚから交流電源１５のゼロクロスタイミングを検出するには、検出信号ＳｚのＬレベル期間の中間点に対応する時刻（図４中のｔ１、ｔ３、ｔ５）と、Ｈレベル期間の中間点に対応する時刻（図４中のｔ２、ｔ４、ｔ６）を制御装置８０にてそれぞれ算出すればよく、得られた時刻ｔ１〜ｔ６は、理論上、交流電源１５のゼロクロスタイミング（図４中のＺＰ１〜ＺＰ６）に一致する。
【００６４】
本実施形態では、ゼロクロス検出回路６０から出力される検出信号Ｓｚを、交流電源１５のゼロクロス検出に使用せず、交流電源１５の投入・遮断を検出する目的に使用する。すなわち、交流電源１５が投入された状態であれば、ゼロクロス検出回路６０からパルス状の検出信号Ｓｚが出力される。一方、交流電源１５が遮断された状態であれば、ゼロクロス検出回路６０の出力はＨレベルに張り付いた状態となる。そのため、制御装置８０のモード制御ブロックＢ２に設けられた検出ポートＰ７をモニタしてゼロクロス検出回路６０の出力をチェックすることで、交流電源１５が投入状態か、遮断状態か検出できる。
【００６５】
尚、交流電源１５の投入／遮断を検出する方法としては、ゼロクロス検出回路６０に限らず、カレントトランスを用いて検出を行うことが技術的に可能である。しかし、カレントトランスの場合、トランスのコアがある程度大きいので、電源装置１０の小型化することが難しくなるが、ゼロクロス検出回路６０はトランスレスなので、電源装置１０を小型化し易いというメリットがある。
【００６６】
３．スイッチング電源２０のモード説明
スイッチング電源２０には図５に示すように、出力モード、出力停止モード、消費モードの３パターンが設けられている。
【００６７】
出力モードは、上記したようにトランス２３の一次側を発振させて、スイッチング電源２０を出力状態にするモードである。出力モードには、消費電力の異なる３種のモード、すなわちプリントモード、準備モード、スリープモードが設けられている。プリントモードは印刷を実行するためのモードであり、２４Ｖ、５Ｖ、３．３ＶＡ、３．３ＶＢ、３．３ＶＣの全ての電源系が出力状態に設定されるモードである。
【００６８】
準備モードは、２４Ｖを除く残りの電源系、すなわち５Ｖ、３．３ＶＡ、３．３ＶＢ、３．３ＶＣの電源系が出力状態に設定されるモードである。スリープモードは、２４Ｖ、３．３ＶＢ、３．３ＶＣを除く残りの電源系、すなわち５Ｖ、３．３ＶＡの電源系が出力状態に設定されるモードである。これら準備モードとスリープモードでは、２４Ｖの電源系が出力停止することから、スイッチング電源２０の消費電力を抑えることが可能となる。
【００６９】
これら３つのモードは、通信部３ａが印刷指示を受け取った場合や、ユーザがモード切り換えスイッチＳＷ２を操作した場合などイベントの発生に応じて切り換る他、タイマ９０による設定時間の経過を条件に自動的に切り換る。
【００７０】
出力停止モードは、トランス２３の発振を停止させてスイッチング電源２０の出力を停止させるモードである。出力停止モードでは、スイッチング電源２０が出力を停止することから２４Ｖ、５Ｖ、３．３ＶＢ、３．３ＶＣの電源系は停止し、３．３ＶＡの電源系だけが出力状態となる。
【００７１】
消費モードは、出力停止モードへの移行時にコンデンサＣ３の残電荷の消費を早めるモードであり、プリントモード同様に２４Ｖ、５Ｖ、３．３ＶＡ、３．３ＶＢ、３．３ＶＣの全ての電源系が出力状態に設定されるモードである。尚、プリントモードとの相違は、プリントモードではスイッチング電源２０が起動しているのに対して、消費モードではスイッチング電源２０は停止している点にある。そして、この消費モードが、本発明の「蓄電部に蓄積された電荷を消費するモード」の一例である。
【００７２】
４．電源システムＳの動作説明
＜出力停止フロー＞
まず、電源スイッチＳＷ１が投入されると、スイッチング電源２０の入力ラインＬｉｎに対して、交流電源１５の交流電圧を整流平滑化した入力電圧Ｖｉｎが印加される。これにより、交流電源１５側から高電圧入力ポートＶＨを通じて電力供給されるので、制御ＩＣ５０が起動する。起動した制御ＩＣ５０は、ＦＥＴ２５にオンオフ信号（ＰＷＭ信号）を出力開始する。
【００７３】
これにより、ＦＥＴ２５がオンオフ動作を開始し、トランス２３の一次側が発振するので、スイッチング電源２０は出力状態となる。スイッチング電源２０が出力状態になると、出力ラインＬｏ４を通じて制御装置８０のメインブロックＢ１に電力が供給され、また、出力ラインＬｏ５を通じて制御装置８０のモード制御ブロックＢ２に電力が供給される。これにより、メインブロックＢ１、モード制御ブロックＢ２はいずれも起動する。
【００７４】
制御装置８０は起動後、図６の出力停止フローを実行開始する。まず、Ｓ１０では、モード制御ブロックＢ２により、モードを選定する処理が実行される。モードの選定は、上記したように通信部３ａが印刷指示を受け取った場合や、ユーザがモード切り換えスイッチＳＷ２を操作した場合などイベントの発生に応じて、そのイベントに対応したモードが選択される。また、タイマ９０による設定時間の経過を条件に、その条件に対応したモードが自動的に選択される。
【００７５】
続く、Ｓ１０に続くＳ２０では、モード制御ブロックＢ２により、交流電源１５が遮断か判定する処理が実行される。具体的には、検出ポートＰ７をモニタしてゼロクロス検出回路６０から検出信号Ｓｚが出力されているか、チェックする。ゼロクロス検出回路６０から図４に示すパルス状の検出信号Ｓｚが出力されている場合には、交流電源１５が投入されていると判断し（判定ＮＯ）、ゼロクロス検出回路０からパルス状の検出信号Ｓｚが出力されていない場合には、交流電源１５は遮断されていると判定する（判定ＹＥＳ）。
【００７６】
交流電源１５が投入されている場合（Ｓ２０でＮＯ）には、Ｓ１０に移行して、再びモードを選定する処理が、モード制御ブロックＢ２により実行される。以上のことから、電源スイッチＳＷ１の投入後、ユーザにより電源スイッチＳＷ１が切られたり、何らかの拍子で電源コードが抜かれたりすることがなければ、交流電源１５は投入状態を維持する。そのため、モード制御ブロックＢ２はＳ１０、Ｓ２０の処理を繰り返す状態となるので、検出ポートＰ７に入力される検出信号Ｓｚを監視しながら、イベントの発生に応じてモードの選定を行う状態となる。
【００７７】
そして、電源スイッチＳＷ１の投入後、交流電源１５が遮断された場合、例えば、ユーザにより電源スイッチＳＷ１が切られた場合、ゼロクロス検出回路６０からパルス状の検出信号Ｓｚが出力されなくなる。そのため、Ｓ２０で、交流電源１５は遮断と判定される。この場合、処理はＳ３０に移行する。Ｓ３０では、モード制御ブロックＢ２により、交流電源１５の遮断検出時における電源装置１０のモードが出力停止モードか判定される。
【００７８】
モードが出力停止モードでない場合、例えば、準備モードやスリープモードであった場合にはＮＯ判定され、その後、Ｓ４０に移行する。Ｓ４０では、モード制御ブロックＢ２により、スイッチング電源２０のトランス２３の一次側の発振を停止させる処理が実行される。具体的には、モード制御ブロックＢ２は、制御ポートＰ３を介して制御パルス信号Ｓｒを出力する。出力された制御パルス信号Ｓｒは、フォトカプラを介して光伝送され、制御ＩＣ５０の制御入力ポートＥＮに入力される。これにより、制御ＩＣ５０が、ＦＥＴ２５に対するオンオフ信号（ＰＷＭ信号）の出力を停止する。これにて、ＦＥＴ２５がオフし、トランス２３の一次側の発振は停止し、スイッチング電源２０は出力停止状態となる。尚、制御装置にて実行されるＳ４０の処理により、本発明の「停止処理」が実現されている。
【００７９】
このように、本実施形態では、交流電源オフ後、一次側の発振を止めて、スイッチング電源２０を直ぐに強制停止させる。そのため、交流電源オフの後、スイッチング電源２０を早期に停止させることが可能であり、追従性がよい。
【００８０】
具体的に説明すると、スイッチング電源２０を強制的に止めない場合、交流電源オフ後、平滑化コンデンサＣ１が電圧を維持している間は、制御ＩＣ５０が動作し、スイッチング電源２０はオフしない。そのため、図７に示すように、交流電源１５の遮断時ｔ０から各電源系の出力電圧が低下し始める時間ｔ１〜ｔ３までに時間がかかる。この点、本実施形態では、交流電源オフ後、スイッチング電源２０を直ぐに強制停止させるので、図８に示すように、交流電源の遮断時ｔ０から各電源系の出力電圧が低下し始める時間ｔ１〜ｔ３までの時間が短くて済む。
【００８１】
そして、Ｓ４０にてスイッチング電源２０を強制停止させると、次はＳ５０に移行する。Ｓ５０では、メイン制御ブッロクＢ１、モード制御ブロックＢ２により、スイッチング電源２０を消費モードに切り換える処理が実行される。消費モードでは、スイッチング電源２０のトランス２３は停止状態に制御される。また、ＰＮＰトランジスタ３３はオン、ＤＣ−ＤＣコンバータ３７、ＤＣ−ＤＣコンバータ４５はそれぞれ起動状態に制御される。
【００８２】
そのため、２４Ｖ系、５Ｖ系、３．３ＶＡ系、３．３ＶＢ系、３．３ＶＣ系の各出力ラインＬｏ１、Ｌｏ２、Ｌｏ３、Ｌｏ４、Ｌｏ５はいずれも通電状態になることから、各出力ラインに接続された電気的負荷により電力が消費される。そのため、スイッチング電源２０のコンデンサＣ３の放電を早めることが可能となる。特に、２４Ｖ系の電気的負荷を通電させていることから、電力の消費が大きく、コンデンサＣ３の放電を特に早めることが出来る。
【００８３】
尚、仮に、スイッチング電源２０のオフ後、モードを交流電源１５の遮断検出時のままにしておくと、遮断検出時のモードが準備モードやスリープモードである場合には、電力消費が小さく、コンデンサＣ３が放電し難くなるので、図７に示すように各電源系の電圧が低下する際のカーブＵが緩やかになる。
【００８４】
この点、本実施形態では、スイッチング電源２０のトランス２３を停止させた後、消費モードへの切り換えを行い、遮断検出時のモードよりも電力の消費を促進させるようにしている。そのため、図８に示すように各電源系の電圧が低下する際のカーブＵが急になり、電圧の落ちが早い。よって、交流電源１５の遮断に対する電源装置１０の追従性がよい。尚、制御装置８０により実行されるＳ５０の処理により、本発明の「前記制御装置は、前記検出部にて前記交流電源の遮断が検出された場合に、前記スイッチング電源を、前記蓄電部に蓄積された電荷を消費するモードに移行させるモード移行処理を行う」が実現されている。
【００８５】
そして、Ｓ５０の処理が完了すると、出力停止フローは終了する。出力停止フローの終了段階では、コンデンサＣ４を電源とする３．３ＶＡの電源系のみ出力状態となり、それ以外の電源系はいずれも出力電圧がゼロボルトになる。
【００８６】
次に、Ｓ３０にてＹＥＳ判定された場合、すなわち、交流電源１５の遮断検出時、スイッチング電源２０のモードが出力停止モードである場合には、その後、Ｓ４０の処理をスキップしてＳ５０に移行する。これにより、スイッチング電源２０は消費モードに移行する。そのため、Ｓ３０でＮＯ判定された場合と同様に、コンデンサＣ３にチャージされた電荷は、各出力ラインに接続された電気的負荷により消費される。そのため、コンデンサＣ３の放電を早めることが可能となる。
【００８７】
＜コンデンサＣ４の充電と交流電源の投入タイミングが重なる場合の不具合＞
制御装置８０のモード制御ブロックＢ２は、コンデンサＣ４を、スイッチング電源停止時のバックアップ用の電源としている。そのため、コンデンサＣ４の充電電圧Ｖｃｈが低下すると、充電のため、制御パルス信号Ｓｒを出力して、スイッチング電源２０を停止状態から起動状態に切り換える制御を行う。すなわち出力停止モードから出力モードに切り換える制御を行う。
【００８８】
これにより、交流電源１５が投入されていて、制御ＩＣ５０がトランス２３の発振を止めている場合には、制御パルス信号Ｓｒを受けた制御ＩＣ５０が発振を再開させるため、スイッチング電源２０は停止状態から起動状態に切り換わる。これより、出力ラインＬｏ２を経由してコンデンサＣ４に充電電流が供給され、コンデンサＣ４を再充電できる。
【００８９】
ところが、交流電源１５の遮断によりスイッチング電源２０が停止している場合には、制御ＩＣ５０が停止しているので、モード制御ブロックＢ２から、制御パルス信号Ｓｒを出力しても、スイッチング電源２０が停止状態から起動状態に切り換わることはない。
【００９０】
この場合、モード制御ブロックＢ２は、図９に示すように、制御パルス信号Ｓｒを繰り返し送信する状態となる。そして、制御パルス信号Ｓｒの送信が繰り返される間、コンデンサＣ４の放電は進むので、充電電圧ＶｃｈやＤＣ−ＤＣコンバータ８３の出力電圧は次第に低下してゆく。
【００９１】
その後、交流電源１５が投入されると、交流電源１５、高電圧入力ポートＶＨを通じて電力供給されるので、制御ＩＣ５０は起動する。起動した制御ＩＣ５０は、ＦＥＴ２５にオンオフ信号（ＰＷＭ信号）を出力開始するので、スイッチング電源２０は、制御パルス信号Ｓｒとは関係なく、起動状態に切り換る。これにより、スイッチング電源２０の二次側、すなわち各電源系の電圧が上昇してゆく。
【００９２】
その一方、モード制御ブロックＢ２は、チェックポートＰ６を備えているので、スイッチング電源２０が立ち上がれば、チェックポートＰ６の電圧が規定値（一例として２．８Ｖ）を超える状態となり、スイッチング電源２０の起動を確認できる。しかしながら、交流電源１５の投入時点（図９中のＴ１）から、スイッチング電源２０が立ち上がってチェックポートＰ６の電圧が規定値を超えるまでにはタイムラグがあり、その期間に、モード制御ブロックＢ２から制御ＩＣ５０に対して、制御パルス信号Ｓｒが出力されてしまうと、制御ＩＣ５０は制御パルス信号Ｓｒに応答して、交流電源１５の投入に伴って起動したスイッチング電源２０を、誤って停止させてしまう。
【００９３】
この間、コンデンサＣ４の充電電圧Ｖｃｈは低下し続けるので、もし、ＤＣ−ＤＣコンバータ８３の出力電圧が、モード制御ブロックＢ２の動作電圧を下回るレベルにまで下がると、リセットＩＣ８８が働いて（アクティブローのリセット信号を出力）、モード制御ブッロクＢ２を停止させる。この場合、リセットＩＣ８８がモード制御ブロックＢ２のリセットを解除しない限り、モード制御ブロックＢ２は再起動しない。
【００９４】
そのため、スイッチング電源２０は停止したままとなり、この場合、電源スイッチＳＷ１を再投入しない限り、スイッチング電源２０は停止状態を続けることになる。
【００９５】
上記のような不具合を未然に防止するため、本実施形態では、モード制御ブロックＢ２にて、ゼロクロス検出回路６０から出力される検出信号Ｓｚに基づいて、交流電源１５の投入の有無を検出する。そして、交流電源１５の投入が検出された場合、モード制御ブロックＢ２は、交流電源１５の投入検出時Ｔ１から一定期間（図１０中のＴＡ）は、スイッチング電源２０の制御ＩＣ５０に対して制御パルス信号Ｓｒを出力することを禁止する。このようにすることで、交流電源１５の投入に伴って起動したスイッチング電源２０を、モード制御ブロックＢ２が誤って停止させてしまうという誤動作を防止できる。尚、上記により本発明の「前記制御装置は、前記検出部にて前記交流電源の投入が検出された場合、検出時から一定期間は、前記スイッチング電源の起動状態を切り換える制御信号（制御パルス信号Ｓｒ）を前記スイッチング電源に対して出力することを禁止する」が実現されている。
【００９６】
また、制御パルス信号Ｓｒの出力を禁止する一定期間ＴＡの長さは、交流電源１５の投入検出からスイッチング電源２０の起動を制御装置８０が認識するまでの認識時間より少なくとも長い時間に設定することが好ましい。例えば、図１０の例であれば、交流電源１５の投入が検出された時刻Ｔ１から、チェックポートＰ６の電圧が規定値である２．８Ｖを超えた時刻Ｔ２、すなわちスイッチング電源２０の起動を制御装置８０が認識する時刻Ｔ２までの時間（Ｔ２−Ｔ１）より少なくとも長い時間に設定するとよい。この場合、交流電源１５の投入検出を条件に制御パルス信号Ｓｒの出力を禁止し、チェックポートＰ６の電圧が規定値を超えた時点Ｔ２以降で、禁止を解除すればよい。制御装置８０側でスイッチング電源２０の起動を認識できれば、誤動作は起きないので、制御パルス信号Ｓｒの出力を上記一定期間少なくとも禁止すれば、誤動作をほほ確実に抑制することが可能となる。尚、図１０の例では、チェックポートＰ６の電圧が規定値を超えた時点Ｔ２以降も禁止期間を設けてあり、一定期間ＴＡを長めに設定した例としてある。
【００９７】
また、交流電源１５の投入検出時Ｔ１から一定期間に加えて、交流電源１５の遮断が検出されている期間（図１０のＴＢ）についても、モード制御ブロックＢ２から制御ＩＣ５０に対して制御パルス信号Ｓｒを出力しないことが好ましい。これは、交流電源１５が遮断している場合、制御パルス信号Ｓｒをいくら出力しても、スイッチング電源２０を起動させることは出来ないので、制御信号の出力が無駄になるからである。
【００９８】
＜他の実施形態＞
本発明は上記記述及び図面によって説明した実施形態に限定されるものではなく、例えば次のような実施形態も本発明の技術的範囲に含まれる。
【００９９】
（１）上記実施形態では、電源システムＳを、プリンタに使用する例を挙げたが、電気機器であれば、適用可能であり、電源システムＳの用途はプリンタに限定されない。例えば、テレビやビデオなどの家電製品に広く使用できる。また、実施形態１〜実施形態３では、電子写真式のプリンタを例示したが、インクジェット式のプリンタへの適用も可能である。
【０１００】
（２）上記実施形態では、交流電源１５の投入・遮断を検出する検出部の一例にゼロクロス検出回路を例示したが、交流電源１５の投入・遮断が検出できるものであればよく、ゼロクロス検出回路に替えてカレントトランスを用いることが出来る。また、ゼロクロス検出回路を用いる場合、本実施形態で例示した回路以外にも、図１１に示すようにフォトカプラＰＣ１と、エミッタコモンのトランジスタ６５を用いた回路を用いることが可能である。
【０１０１】
（３）上記実施形態では、トランス２３をスイッチングする半導体スイッチング素子としてＦＥＴ（電界効果トランジスタ）を例示したが、バイポーラトランジスタを使用してもよい。
【０１０２】
（４）上記実施形態では、蓄電部の一例にコンデンサＣ４を例示したが、コンデンサに替えて二次電池やバッテリを搭載してもよい。
【０１０３】
（５）上記実施形態では、交流電源１５の遮断検出に伴って、電源装置１０を停止させる際に、消費モードに移行させるようにしたが、消費モードへの移行は必須ではなく、交流電源１５の遮断検出時に少なくとも、スイッチング電源２０を停止すればよい。
【符号の説明】
【０１０４】
１…プリンタ（本発明の「画像形成装置」の一例）
２…印刷部
３ａ…通信部
１０…電源装置
２０…スイッチング電源
２１…整流平滑化回路（本発明の「第一整流平滑化回路」の一例）
２３…トランス
２５…ＦＥＴ（本発明の「半導体スイッチング素子」の一例）
２７…整流平滑化回路（本発明の「第二整流平滑化回路」の一例）
３５…ＤＣ−ＤＣコンバータ（本発明の「降圧回路」の一例）
３７…ＤＣ−ＤＣコンバータ（本発明の「降圧回路」の一例）
４５…ＤＣ−ＤＣコンバータ（本発明の「降圧回路」の一例）
５０…制御ＩＣ（本発明の「スイッチ制御部」の一例）
６０…ゼロクロス検出回路（本発明の「検出部」の一例）
８０…制御装置
Ｃ４…コンデンサ（本発明の「蓄電部」の一例）
Ｓｒ…制御パルス信号（本発明の「制御信号」の一例）
【図１】
2013135588.tif 000003
【図２】
2013135588.tif 000004
【図３】
2013135588.tif 000005
【図４】
2013135588.tif 000006
【図５】
2013135588.tif 000007
【図６】
2013135588.tif 000008
【図７】
2013135588.tif 000009
【図８】
2013135588.tif 000010
【図９】
2013135588.tif 000011
【図１０】
2013135588.tif 000012
【図１１】
2013135588.tif 000013